(57)【要約】【課題】  きわめて軽量で、取り扱いや作業性に優れ、しかも剥離したコンクリート屑の地上落下による公衆災害や下部施設損傷等の恐れを確実に防止することができるコンクリート柱の剥離補修用ハットを提供すること。【解決手段】  コンクリート柱（電柱）Ｐの補修箇所の下方に展開して剥離コンクリートを含む落下物を受け止めるのに用いるコンクリート柱の剥離補修用ハットである。コンクリート柱Ｐの外周に添わせて環状に装着する環状装着部１と、その環状装着部１の外径よりも大径の環状に保持するための環状保持部２と、それら環状装着部１と環状保持部２との間に設けられた展開用シート３とを備えることを特徴とする。【選択図】      図１
2006283304.tif 000002
【特許請求の範囲】
【請求項１】
コンクリート柱の補修箇所の下方に展開して剥離コンクリートを含む落下物を受け止めるのに用いるコンクリート柱の剥離補修用ハットであって、
コンクリート柱の外周に添わせて環状に装着する環状装着部と、その環状装着部の外径よりも大径の環状に保持するための環状保持部と、それら環状装着部と環状保持部との間に設けられた展開用シートと、を備えることを特徴とするコンクリート柱の剥離補修用ハット。
【請求項２】
前記環状装着部は、その内径寸法が可変であることを特徴とする、請求項１記載のコンクリート柱の剥離補修用ハット。
【請求項３】
前記環状装着部は、前記コンクリート柱よりも大径の筒状部分と、その筒状部分の内径寸法を前記コンクリート柱の外径寸法に応じて調整する内径調整部分と、調整済みの内径に位置決めして仮固定する仮固定手段とを含む、請求項１又は２に記載のコンクリート柱の剥離補修用ハット。
【請求項４】
前記環状保持部は折り畳み可能であって、かつその折り畳み状態から自身の弾力性によって元のリング状に復帰できる素材を含むことを特徴とする、請求項１〜３の何れかに記載のコンクリート柱の剥離補修用ハット。
【請求項５】
前記環状保持部には切断部が設けられ、前記展開用シートには前記環状装着部から前記環状保持部の切断部に至る長さのシート開閉部が設けられていることを特徴とする、請求項１〜４の何れかに記載のコンクリート柱の剥離補修用ハット。
【請求項６】
前記展開用シートの一部には、他の部分よりも下方へ膨出した屑だまりが形成されていることを特徴とする、請求項１〜５の何れかに記載のコンクリート柱の剥離補修用ハット。
【発明の詳細な説明】
【技術分野】
【０００１】
本発明は、補修すべきコンクリート柱の補修箇所の下方に展開して剥離コンクリートを含む落下物を受け止めるのに用いて好適なコンクリート柱の剥離補修用ハットに関する。
【背景技術】
【０００２】
電柱のような鉄筋コンクリート柱では、経年劣化の現象として、特に強塩害地域において内部鉄筋の発錆が多く見受けられる。内部鉄筋の発錆は、鉄筋自体の膨れによるコンクリート剥離の主な原因となっている。
【０００３】
この対策方法としては、特許文献１や特許文献２に記載のような多くの補強方法があるが、何れも鉄筋コンクリート柱の中間部の補強方法である。コンクリート剥離現象は、電柱の場合その頂部にも発生するが、この頂部のコンクリート剥離に対して、従来は、頂部キャップの取り替え、あるいは建て替えにより対処していた。
【０００４】
ところで、既設電柱には頂部キャップが取り付けられており、コンクリート剥離対策のために、図５（ｅ）に示すような長尺頂部キャップ（防鳥キャップ）に取り替える工事に際しては、剥離劣化の程度に合わせて、従来、次のような作業を実施していた。
（１）コンクリートの剥離劣化が軽微で、仮処置が容易な場合、防鳥キャップ取り付けにより仮処置完了とする。
（２）コンクリートの剥離劣化が進行し、仮処置が困難な場合、高所作業車により作業者が既設の頂部キャップを取り外し、コンクリート剥離部分を手作業で取り除いた後、防鳥キャップを被せ、剥離部全体を防護する。
【０００５】
上記（２）の作業においては、既設頂部キャップ取り外し時に、剥離したコンクリート屑の地上落下による公衆災害や下部施設損傷の恐れがある。その対策として従来は、既設頂部キャップを取り外す前に、剥離コンクリートが落下しないように細心の注意を図りながら、剥離箇所の上からテープ巻きにより落下防止処置を実施していた。
【０００６】
一方、電柱上部での作業において、例えば配電柱上での作業において、器具、工具類、重量物等の落下を安全確実に受け止めるための装置として、電柱用安全ネットが開発されている（特許文献３）。この安全ネットは、電柱に固定する取付台と、取付台の下部に設けられた水平方向に回動自在な複数のアームと、これらのアームによって支持されるネットとを備える構成としたものである。
【０００７】
【特許文献１】特開２００３−３１４０６５号公報
【特許文献２】特開２００３−１１３６７４号公報
【特許文献３】実開平５−５８７６６号公報
【発明の開示】
【発明が解決しようとする課題】
【０００８】
上記（２）の作業において、既設頂部キャップを取り外す前に、剥離コンクリートが落下しないように、剥離箇所の上からテープ巻きにより落下防止処置を施す方法では、その作業に細心の注意と手間がかかり、作業性が悪い上に、剥離コンクリートの落下を確実に防止することが難しいという問題があった。
また、特許文献３に記載の電柱用安全ネットは、装置が大がかりで大重量となるため、その装置を展開するのに高所作業車や多数の作業者を必要とするだけでなく、電柱の片側にしか展開できないため、剥離コンクリートの落下防止ネットとしては使用に適さない。
【０００９】
よって、本発明の課題は、きわめて軽量で、取り扱いや作業性に優れ、しかも剥離したコンクリート屑の地上落下による公衆災害や下部施設損傷等の恐れを確実に防止することができるコンクリート柱の剥離補修用ハットを提供することにある。
【課題を解決するための手段】
【００１０】
前記課題を解決するため、本発明では以下の手段を採用した。
本発明は、コンクリート柱の補修箇所の下方に展開して剥離コンクリートを含む落下物を受け止めるのに用いるコンクリート柱の剥離補修用ハットであって、コンクリート柱の外周に添わせて環状に装着する環状装着部と、その環状装着部の外径よりも大径の環状に保持するための環状保持部と、それら環状装着部と環状保持部との間に設けられた展開用シートとを備えることを特徴とする。
【００１１】
本発明によれば、環状装着部を例えばコンクリート柱の頂部から被せるように挿入してコンクリート柱の外周に装着し、環状保持部を手に持って環状装着部よりも上に位置させると、環状保持部と環状装着部との間に設けられている展開用シートが展開状態となって漏斗状の収容空間が形成される。したがって、環状装着部をコンクリート柱の補修箇所よりも下部に装着すれば、補修箇所から落下する剥離コンクリートは展開用シートで受け止められて漏斗状の収容空間内収容される。
【００１２】
この剥離補修用ハットは、主体が展開用シート材で、それ以外は環状装着部と環状保持部を含むだけの構成ですむため、きわめて軽量で取り扱いや作業性にも優れた構成とすることができる。
【００１３】
本発明において、環状装着部はその内径寸法が可変であることが望ましい。環状装着部の内径寸法を可変にすることで、外径の異なるコンクリート柱や、部位によって外径が異なるコンクリー柱などに対しても容易に対応することができ、しかも、その装着位置を任意に変更することが可能になるからである。
【００１４】
前記環状装着部としては、コンクリート柱よりも大径の筒状部分と、その筒状部分の内径寸法をコンクリート柱の外径寸法に応じて調整する内径調整部分と、調整済みの内径に位置決めして仮固定する仮固定手段とを含む構成とすることもできる。このように構成した場合、内径調整部分により調整した内径に環状装着部を位置決めした状態に維持しつつ、仮固定手段にて固定することで、環状装着部をコンクリート柱の外周に容易に装着することが、これにより、取扱性や作業性を高め１５とが可能になる。
【００１５】
本発明において、前記環状保持部は折り畳み可能であって、かつその折り畳み状態から自身の弾力性によって元のリング状に復帰できる素材を含む構成とすることが望ましい。このようにすれば、例えば電柱に登るときに剥離補修用ハット全体を小さく折り畳んだ状態で手に持って、あるいは袋に入れて登ることが可能になるので、その取扱性を格段に向上させることができる。
【００１６】
本発明において、前記環状保持部には切断部が設けられ、展開用シートには環状装着部から環状保持部の切断部に至る長さのシート開閉部が設けられている構成とすることもできる。切断部及びシート開閉部が無い場合には、剥離補修用ハット全体をコンクリート柱の頂部から被せるように挿入する必要がある。この点、切断部及びシート開閉部を利用すれば、コンクリート柱の途中（例えば中間部）においてもこの剥離補修用ハットをコンクリート柱の外周に添って展開したり取り外したりすることが可能になる。
【００１７】
本発明において、展開用シートの一部には、他の部分よりも下方へ膨出した屑だまりが
形成された構成とすることもできる。このように屑だまりを形成した場合、剥離コンクリート等の落下物をこの屑だまり内に収容して安定状態に保持することができる。また、この屑だまりがあることで、地上へ降ろす際にもこぼれ落ちないように安全に降ろすことができる。なお、屑だまりの上部を縛る紐などを展開用シートの部分に予め装備しておいてもよい。
【発明の効果】
【００１８】
本発明に係るコンクリート柱の剥離補修用ハットによれば、きわめて軽量で、取り扱いや作業性に優れ、しかも剥離したコンクリート屑の地上落下による公衆災害や下部施設損傷等の恐れを確実に防止することができる優れた効果を奏する。
【発明を実施するための最良の形態】
【００１９】
以下、本発明の好適な実施形態について、図面を参照して説明する。
図１は、剥離補修用ハットの使用状態を示す斜視図である。図２は剥離補修用ハットの全体構成を示す斜視図であり、図３はその折り畳み状態の手順を示す斜視図である。なお、この実施形態では、電柱の剥離補修用ハットに適用した例を示している。
【００２０】
（第１実施形態）
この実施形態の剥離補修用ハットは、電柱Ｐの補修箇所の下方に展開して剥離コンクリートを含む落下物を受け止めることができるように構成されている。即ち、電柱Ｐの外周に添わせて環状に装着する環状装着部１と、その環状装着部１の外径よりも大径の環状に保持するための環状保持部２と、それら環状装着部１と環状保持部２との間に設けられた展開用シート３とを備えている。
【００２１】
環状装着部１は、電柱Ｐよりも大径の筒状部分１１と、その筒状部分１１の内径寸法を電柱Ｐの外径寸法に応じて調整する内径調整部分１２と、調整済みの内径に位置決めして仮固定する仮固定手段１３とを有している。これにより、環状装着部１は、外径の異なる電柱や、部位によって外径が異なる電柱などに対しても容易に装着できるように、その内径寸法が可変構造となっている。
【００２２】
筒状部分１１は、図２に示すように、互いに向き合う端部１４、１５を図１に示すように重ね合わせた状態、あるいは突き合わせた状態で円筒状に形成される部分であり、例えば合成樹脂のように適度の柔軟性や絶縁性のある素材により形成されている。勿論、合成樹脂以外の素材、例えば厚手の絶縁性シート材やシート材を重ね合わせたものを筒状部分１１として形成してもよい。
【００２３】
内径調整部分１２は、端部１４、１５を有する筒状部分１１と、端部１４、１５間に設けた展開用シート３の折り込み部３１とにより構成されている。折り込み部３１を含む端部１４、１５間の間隔は、例えば１０ｃｍ程度に設定されている。
【００２４】
筒状部分１１の仮固定手段１３は、図示例ではベルベット式ファスナーにより構成されている。即ち、筒状部分１１の端部１４付近の表面には雌型又は雄型の一方のファスナー片１６が設けられている。他方のファスナー１７片は、端部１５付近からテープ状に延びている。なお、この他方のファスナー片１７は、筒状部分１１の端部１５付近の内面側に設けてもよい。
【００２５】
環状保持部２は、図２（ｂ）に示すリング部材２１と、このリング部材２１を収納するために展開用シート３の外周部分に添って袋状に形成した環状の収納部３２とを含む構成である。この環状の収納部３２は、展開用シート３の外周部分をリング部材２１を包み込むように折り返して展開用シート３自体に縫い付ける方法、あるいは接着等の方法により
形成されている。勿論、他の方法を採用して、展開用シート３の外周部分をリング部材２１に一体化することもできる。
【００２６】
さらに、環状保持部２のリング部材２１は、図３に示すように折り畳み可能であって、かつその折り畳み状態から自身の弾力性によって元のリング状に復帰できる素材により形成されている。この素材には、例えば形状記憶合金のように元のリング状に復帰できる形状記憶機能を有するものも用いることができる。しかし、全体に絶縁性をもたせる観点から、図３（ｃ）に示すように２リング程度に折り畳める合成樹脂製リング部材、あるいは金属線等を絶縁性材料で被覆したリング部材等も採用することができる。なお、折り畳む必要が無い場合には、折り畳み不可能な剛性をもつリング部材を採用してもよい。
【００２７】
展開用シート３は柔軟性のある絶縁性シート材により形成されている。この展開用シート３の外周部分はリング部材２１により環状に保持され、穴のある中央部分は筒状部分１１の内面側に固定されている。
【００２８】
このように構成した剥離補修用ハットを使用する際には、例えば図３（ａ）〜（ｄ）に示すような手順で折り畳んでコンパクトにしてから電柱Ｐ上に持ち上がる。折り畳むときには図３（ｂ）に示すように８の字を描くように折り畳むと、２リング状態にコンパクトに折り畳むことができる。
【００２９】
次に、電柱Ｐ上において、図４（ｃ）に示すように、その頂部から被せるように挿入して、環状装着部１を電柱Ｐの外周に装着する。この装着作業は仮固定手段１３を構成する他方のファスナー片１７を引っ張り、一方のファスナー片１６に巻き付けるように添わせるだけで済むので簡単に装着することができる。なお、図４（ｃ）においては既設の頂部キャップ５が外されている図が示されているが、同図（ａ）に示すように取り外さない状態で環状装着部１の装着作業を行う方が好ましい。
【００３０】
次に、環状保持部２を手に持って、図５（ｄ）に示すように環状装着部１よりも上に位置させると、環状保持部２と環状装着部１との間に設けられている展開用シート３が展開状態となって漏斗状の収容空間６が形成される。この状態で、既設の頂部キャップ５を取り外し、コンクリート剥離箇所８を剥がすと、剥離した破片９は収容空間６内に落下して収容される。
【００３１】
次に、破片９を収容空間６内に収容した状態で、仮固定手段１３を解放し、剥離補修用ハットを上へ持ち上げて電柱Ｐから取り外す。その後、長尺頂部キャップ（防鳥キャップ）１０を取り付けて完了とする。
【００３２】
この実施形態の剥離補修用ハットは、主体が展開用シート３で、それ以外は環状装着部１と環状保持部２を含むだけの構成で済むため、きわめて軽量で取り扱いや作業性にも優れた構成とすることができる。また、環状保持部２は折り畳み可能であって、かつその折り畳み状態から自身の弾力性によって元のリング状に復帰できる素材を含む構成とすることで、電柱に登るときに剥離補修用ハット全体を小さく折り畳んだ状態で手に持って、あるいは袋に入れて登ることが可能になるので、その取扱性を格段に向上させることができる。
【００３３】
また、環状装着部１の内径寸法を可変にしているので、外径の異なる電柱や、部位によって外径が異なる電柱などに対しても容易に対応することができ、しかも、その装着位置を任意に変更することができる。
【００３４】
また、内径調整部分１２により調整した内径に環状装着部１を位置決めした状態に維持
しつつ、仮固定手段１３にて固定することで、環状装着部１を電柱の外周に容易に装着することができ、これにより、取扱性や作業性を格段に高めることができる。
【００３５】
なお、環状装着部１としては、例えば電柱Ｐの外周に添って巻き付け可能な可撓性のある帯状部材（筒状部分１１に相当）で構成し、その帯状部材に仮固定手段１３を設けた構成としてもよい。さらに、帯状部材全体をベルベット式ファスナーで構成してもよい。
【００３６】
（第２実施形態）
図６〜図８は本発明の第２実施形態を示している。なお、この第２実施形態において第１実施形態と同一の構成要素については同一の符号を付してその説明を簡略化する。
【００３７】
この実施形態の剥離補修用ハットは、環状保持部２に切断部２２が設けられ、展開用シート３には環状装着部１から環状保持部２の切断部２２に至る長さのシート開閉部３３が設けられている構成としたものである。開閉部３３はファスナー３４により開閉できる構成としている。ファスナー３４の取付位置は、展開用シート３の折り込み部３１の中央部分を縦に延びるように配慮している。したがって、この実施形態の剥離補修用ハットは、環状装着部１から環状保持部２に至る長さで全体を開閉することができるようになっている。
【００３８】
切断部２２及びシート開閉部３３が無い場合には、剥離補修用ハット全体を電柱の頂部から被せるように挿入する必要がある。この点、切断部２２及びシート開閉部３３を利用すれば、図８に示すように、電柱Ｐの途中（例えば中間部）においてもこの剥離補修用ハットを電柱Ｐの外周に添って展開したり取り外したりすることが可能になる。
【００３９】
（第３実施形態）
この実施形態の剥離補修用ハットは、図９に示すように、展開用シート３の一部に、他の部分よりも下方へ膨出した屑だまり３５を設けた構成としたものである。この屑だまり３５は、展開用シート３と同じシート材で一体に形成してもよいし、別途形成した屑だまり３５を展開用シート３に縫い付けたり貼り付けたりして形成してもよい。
【００４０】
このように屑だまり３５を形成した場合、剥離コンクリート等の落下物（破片）９をこの屑だまり３５内に収容して安定状態に保持することができる。また、この屑だまり３５があることで、地上へ降ろす際にもこぼれ落ちないように安全に降ろすことができる。
【００４１】
なお、図１０に示すように、図屑だまり３５の上部を縛る紐３６などを展開用シート３の部分に予め装備しておいてもよい。このようにすれば、破片９の落下防止機能をさらに高めることができる。
【図面の簡単な説明】
【００４２】
【図１】第１実施形態に係る剥離補修用ハットの使用状態の斜視図。
【図２】第１実施形態に係る剥離補修用ハットを示す図で、（ａ）は全体構成の斜視図、（ｂ）はリング部材の斜視図。
【図３】第１実施形態に係る剥離補修用ハットの折り畳み手順を示す斜視図。
【図４】第１実施形態に係る剥離補修用ハットを使用した作業手順を示す斜視図。
【図５】第１実施形態に係る剥離補修用ハットを使用した作業手順を示す斜視図。
【図６】第２実施形態に係る剥離補修用ハットを示す図で、（ａ）は全体構成の斜視図、（ｂ）は要部の斜視図。
【図７】第２実施形態に係る剥離補修用ハットを示す図で、（ａ）は開閉部の開放状態の斜視図、（ｂ）は閉塞状態の斜視図。
【図８】第２実施形態に係る剥離補修用ハットを示す図で、（ａ）は電柱への装着要領を示す斜視図、（ｂ）は電柱への装着状態の斜視図。
【図９】第３実施形態に係る剥離補修用ハットの使用状態の斜視図。
【図１０】第３実施形態に係る剥離補修用ハットの使用状態の斜視図。
【符号の説明】
【００４３】
１  環状装着部
１１  筒状部分
１２  内径調整部
１３  仮固定手段（ベルベット式ファスナー）
２  環状保持部
２１  リング部材
２２  切断部
３  展開用シート
３１  折り込み部
３３  開閉部
３４  ファスナー
３５  屑だまり
【図１】
2006283304.tif 000003
【図２】
2006283304.tif 000004
【図３】
2006283304.tif 000005
【図４】
2006283304.tif 000006
【図５】
2006283304.tif 000007
【図６】
2006283304.tif 000008
【図７】
2006283304.tif 000009
【図８】
2006283304.tif 000010
【図９】
2006283304.tif 000011
【図１０】
2006283304.tif 000012